(57)【要約】【課題】ＩＨ定着システムの安全性をより向上させる画像形成装置を提供する。【解決手段】記録媒体に転写したトナー像を定着させる定着装置１００Ａの加熱部材を、電力供給に応じて加熱する加熱コイル１２５と、電力供給に応じて加熱コイル１２５の発熱を抑止する消磁コイル１２９と、加熱コイル１２５および消磁コイル１２９への電力供給を制御するＣＰＵ３０３と、消磁コイル１２９の動作状態を検知する電流検知回路１３３と、消磁コイル１２９への電力供給の状態と電流検知回路１３３による検知結果とに基づいて加熱コイル１２５の異常の有無を判断するＡＮＤ回路３０１と、を備え、ＣＰＵ３０３は、異常があると判断された場合に加熱コイル１２５への電力供給を遮断する。【選択図】        図３
2009271304.tif 000002
【特許請求の範囲】
【請求項１】
記録媒体に転写したトナー像を定着させる定着部の加熱部材を、電力供給に応じて加熱する加熱手段と、
電力供給に応じて前記加熱手段の発熱を抑止する減熱手段と、
前記加熱手段への電力供給を制御する加熱制御手段と、
前記減熱手段への電力供給を制御する減熱制御手段と、
前記減熱手段の動作状態を検知する動作検知手段と、
前記減熱制御手段による前記減熱手段への電力供給の状態と、前記動作検知手段による前記減熱手段の動作状態の検知結果とに基づいて、前記加熱手段の異常の有無を判断する第１判断手段と、
前記加熱手段に異常があると判断された場合に、前記加熱手段への電力供給を遮断する遮断手段と、
を備えたことを特徴とする画像形成装置。
【請求項２】
前記第１判断手段は、前記加熱制御手段による前記加熱手段への電力供給の状態と、前記減熱制御手段による前記減熱手段への電力供給の状態と、前記動作検知手段による前記減熱手段の動作状態の検知結果とに基づいて、前記加熱手段の異常の有無を判断すること、
を特徴とする請求項１に記載の画像形成装置。
【請求項３】
前記加熱手段の温度を検知する温度検知手段をさらに備え、
前記第１判断手段は、さらに、検知された前記温度と予め定められた閾値とを比較することによって前記加熱手段の異常の有無を判断すること、
を特徴とする請求項１に記載の画像形成装置。
【請求項４】
前記加熱手段の温度を検知する温度検知手段と、
検知された前記温度が予め定められた閾値より大きい場合に、前記加熱手段の異常があると判断する第２判断手段と、さらに備えたこと、
を特徴とする請求項１に記載の画像形成装置。
【請求項５】
前記遮断手段は、前記第１判断手段によって複数回連続して前記加熱手段に異常があると判断された場合に、前記加熱手段への電力供給を遮断すること、
を特徴とする請求項１に記載の画像形成装置。
【請求項６】
前記動作検知手段は、前記減熱手段に通電される電流によって前記減熱手段の動作状態を検知すること、
を特徴とする請求項１に記載の画像形成装置。
【請求項７】
前記加熱手段は、励磁コイルに流れる電流により磁界を発生させ、磁界による電磁誘導により発熱すること、
を特徴とする請求項１に記載の画像形成装置。
【請求項８】
前記減熱手段は、前記加熱手段の励磁コイルにより発生される磁界を打ち消す磁界を発生させることによって、前記加熱手段の励磁コイルによる加熱を抑えること、
を特徴とする請求項１に記載の画像形成装置。
【請求項９】
記録媒体に転写したトナー像を定着させる定着部の加熱部材の加熱を制御する加熱制御方法であって、
加熱制御手段が、電力供給に応じて前記加熱部材を加熱する加熱手段への電力供給を制御する加熱制御ステップと、
減熱制御手段が、電力供給に応じて前記加熱手段の発熱を抑止する減熱手段への電力供給を制御する減熱制御ステップと、
判断手段が、前記減熱手段の動作状態を検知する動作検知手段による前記減熱手段の動作状態の検知結果に基づいて、前記加熱手段の異常の有無を判断する判断ステップと、
遮断手段が、前記加熱手段に異常があると判断された場合に、前記加熱手段への電力供給を遮断する遮断ステップと、
を備えたことを特徴とする加熱制御方法。
【発明の詳細な説明】
【技術分野】
【０００１】
この発明は、定着システムを安全に加熱する画像形成装置および加熱制御方法に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えたいわゆるＭＦＰ（Multi Function Peripheral）と称される複合機が用いられている。このような複合機は、画像を読み取るためのスキャナ部、スキャナ部で読み取られた画像に応じたトナー像を転写紙上に形成するためのエンジン部、エンジン部で形成された転写紙上のトナー像を、定着ローラおよび加圧ローラによって定着させるための定着装置（定着システム）などを備えている。
【０００３】
ＩＨ（Induction Heating：磁誘導加熱）による定着方式であるＩＨ定着システムの安全回路としては、温度センサによって高温を検知することで、発熱体への電源供給を強制的に遮断する手法が知られている。また、加熱コイル、減熱コイルの正常動作を検知するシステムとして、電流検知回路を用いて異常電流を検知した時に通電を強制的に遮断する手法も知られている（例えば、特許文献１）。
【０００４】
【特許文献１】特開２００７−１２７８６６号公報
【発明の開示】
【発明が解決しようとする課題】
【０００５】
しかしながら、特許文献１のように電流を検知することにより異常を検知する安全装置では、断線や電流検知回路の異常が生じた場合に異常を検知することができず、加熱コイルを加熱し続ける場合が考えられるという問題があった。
【０００６】
本発明は、上記に鑑みてなされたものであって、ＩＨ定着システムの安全性をより向上させることができる画像形成装置および加熱制御方法を提供することを目的とする。
【課題を解決するための手段】
【０００７】
上述した課題を解決し、目的を達成するために、請求項１にかかる発明は、記録媒体に転写したトナー像を定着させる定着部の加熱部材を、電力供給に応じて加熱する加熱手段と、電力供給に応じて前記加熱手段の発熱を抑止する減熱手段と、前記加熱手段への電力供給を制御する加熱制御手段と、前記減熱手段への電力供給を制御する減熱制御手段と、前記減熱手段の動作状態を検知する動作検知手段と、前記減熱制御手段による前記減熱手段への電力供給の状態と、前記動作検知手段による前記減熱手段の動作状態の検知結果とに基づいて、前記加熱手段の異常の有無を判断する第１判断手段と、前記加熱手段に異常があると判断された場合に、前記加熱手段への電力供給を遮断する遮断手段と、を備えたことを特徴とする。
【０００８】
また、請求項２にかかる発明は、請求項１にかかる発明において、前記第１判断手段は、前記加熱制御手段による前記加熱手段への電力供給の状態と、前記減熱制御手段による前記減熱手段への電力供給の状態と、前記動作検知手段による前記減熱手段の動作状態の検知結果とに基づいて、前記加熱手段の異常の有無を判断すること、を特徴とする。
【０００９】
また、請求項３にかかる発明は、請求項１にかかる発明において、前記加熱手段の温度を検知する温度検知手段をさらに備え、前記第１判断手段は、さらに、検知された前記温度と予め定められた閾値とを比較することによって前記加熱手段の異常の有無を判断すること、を特徴とする。
【００１０】
また、請求項４にかかる発明は、請求項１にかかる発明において、前記加熱手段の温度を検知する温度検知手段と、検知された前記温度が予め定められた閾値より大きい場合に、前記加熱手段の異常があると判断する第２判断手段と、さらに備えたこと、を特徴とする。
【００１１】
また、請求項５にかかる発明は、請求項１にかかる発明において、前記遮断手段は、前記第１判断手段によって複数回連続して前記加熱手段に異常があると判断された場合に、前記加熱手段への電力供給を遮断すること、を特徴とする。
【００１２】
また、請求項６にかかる発明は、請求項１にかかる発明において、前記動作検知手段は、前記減熱手段に通電される電流によって前記減熱手段の動作状態を検知すること、を特徴とする。
【００１３】
また、請求項７にかかる発明は、請求項１にかかる発明において、前記加熱手段は、励磁コイルに流れる電流により磁界を発生させ、磁界による電磁誘導により発熱すること、を特徴とする。
【００１４】
また、請求項８にかかる発明は、請求項１にかかる発明において、前記減熱手段は、前記加熱手段の励磁コイルにより発生される磁界を打ち消す磁界を発生させることによって、前記加熱手段の励磁コイルによる加熱を抑えること、を特徴とする。
【００１５】
また、請求項９にかかる発明は、記録媒体に転写したトナー像を定着させる定着部の加熱部材の加熱を制御する加熱制御方法であって、加熱制御手段が、電力供給に応じて前記加熱部材を加熱する加熱手段への電力供給を制御する加熱制御ステップと、減熱制御手段が、電力供給に応じて前記加熱手段の発熱を抑止する減熱手段への電力供給を制御する減熱制御ステップと、判断手段が、前記減熱手段の動作状態を検知する動作検知手段による前記減熱手段の動作状態の検知結果に基づいて、前記加熱手段の異常の有無を判断する判断ステップと、遮断手段が、前記加熱手段に異常があると判断された場合に、前記加熱手段への電力供給を遮断する遮断ステップと、を備えたことを特徴とする。
【発明の効果】
【００１６】
本発明によれば、ＩＨ定着システムの安全性をより向上させることができるという効果を奏する。
【発明を実施するための最良の形態】
【００１７】
以下に添付図面を参照して、この発明にかかる画像形成装置の最良な実施の形態を詳細に説明する。
【００１８】
（第１の実施の形態）
第１の実施の形態にかかる画像形成装置は、ＩＨ定着システムの加熱コイルのＯＮ／ＯＦＦを表す信号と、減熱コイル（消磁コイル）のＯＮ／ＯＦＦを表す信号と、電流検知回路からの検知信号とから、減熱制御の異常を検出する。
【００１９】
図１は、第１の実施の形態にかかる複合機１００の機構部の一例を示す概略構成図である。この複合機１００は、デジタル複写機を含む画像形成装置である。すなわち、複合機１００は、複写機能と、それ以外の機能、例えば、プリンタ機能、ファクシミリ機能とを備えており、操作部のアプリケーション切り替えキー（図示せず）の操作により、複写機能、プリンタ機能、ファクシミリ機能を順次切り替えて選択することが可能である。これにより、複写機能の選択時には複写モードとなり、プリンタ機能の選択時にはプリンタモードとなり、ファクシミリ機能の選択時にはファクシミリモードとなる。
【００２０】
この複合機１００において、自動紙送り装置（「自動原稿給紙装置」ともいう。以下、「ＡＤＦ」という）１０１に設けられている原稿トレイ（「原稿台」ともいう）１０２に画像面を上にして置かれた原稿束は、コピーモード時に操作部（図示せず）上のスタートキーが押下されると、一番下の原稿から１枚ずつ順次給送ローラ、給送ベルトによってコンタクトガラス１０３上の所定の位置に給送されてセットされる。ＡＤＦ１０１は、１枚の原稿の給送完了毎に原稿枚数をインクリメントするインクリメント機能を有する。コンタクトガラス１０３上のセットされた原稿は、画像読取装置（「スキャナ」又は「読み取りユニット」ともいう）１０４によって画像が読み取られ、その読み取りが終了した後、給送ベルトおよび排送ローラによって排紙台上に排出される。
【００２１】
なお、１枚の原稿の画像の読み取りが終了する毎に、原稿セット検知器（「原稿セット検知センサ」ともいう）によって原稿トレイ１０２上に次の原稿があるかないかを検知し、原稿セット検知器で原稿トレイ１０２上に次の原稿が存在することが検知された場合には、原稿トレイ１０２上の一番下の原稿を前の原稿と同様にして給送ローラ、給送ベルトによってコンタクトガラス１０３上の所定の位置に給送し、以後上述と同様の動作を行う。また、給送ローラ、給送ベルト、排送ローラは図示を省略した搬送モータによって駆動される。
【００２２】
第１給紙装置１０９ａ、第２給紙装置１０９ｂ、第３給紙装置１０９ｃは、各々選択されたときに、それぞれ第１給紙トレイ１０８ａ、第２給紙トレイ１０８ｂ、第３給紙トレイ１０８ｃに積載された転写紙（用紙）を給紙し、その転写紙は縦搬送ユニット１１１によって感光体１０６に当接する位置まで搬送される。感光体１０６は、例えば感光体ドラムが用いられており、図示を省略したメインモータによって回転駆動される。
【００２３】
画像読取装置１０４による原稿の画像読み取りによって入力された画像データ（画像情報）は、図示を省略した画像処理装置で所定の画像処理が施された後、そのまま、あるいは画像記憶手段を構成する図示を省略した画像メモリに一旦記憶させた後、画像印刷手段（プリンタ）を構成する書き込みユニット１０５に送られ、その書き込みユニット１０５によって光情報に変換し、感光体１０６の面には図示を省略した帯電器によって一様に帯電された後に書き込みユニット１０５からの光情報で露光されて静電潜像が形成される。この感光体１０６上の静電潜像は、現像装置（「現像ユニット」ともいう）１０７により現像されてトナー像が形成される。
【００２４】
感光体１０６、帯電器、書き込みユニット１０５、現像装置１０７や、その他の図示を省略した感光体１０６回りの周知の装置などにより、電子写真方式で画像データにより画像を転写紙上に形成する画像形成動作を行う画像形成手段であるプリンタエンジンを構成している。搬送ベルトは、用紙搬送手段および転写手段を兼ねていて電源から転写バイアスが印加され、縦搬送ユニット１１１からの転写紙を感光体１０６と等速で搬送しながら感光体１０６上のトナー像を転写紙に転写する。この転写紙は、定着装置１００Ａによりトナー像が定着され、排紙ユニット１１４により排紙トレイ１１３に排出される。感光体１０６、帯電器、書き込みユニット１０５、現像装置１０７、転写手段、画像データにより画像を転写紙上に形成する画像形成手段を構成している。
【００２５】
以上の動作は、通常のモードで転写紙の片面に画像を複写するときの動作であるが、両面モードで転写紙の両面に画像を複写する場合には、第１〜第３給紙トレイ１０８ａ〜１０８ｃの何れかより給紙されて表面に上述のように画像が形成された転写紙は、排紙ユニット１１４により排紙トレイ１１３側ではなく、両面入紙搬送路側に切り替えられ、反転ユニット１１２によりスイッチバックされて表裏が反転され、両面搬送ユニットへ搬送される。
【００２６】
この両面搬送ユニットへ搬送された転写紙は、両面搬送ユニットにより縦搬送ユニット１１１へ搬送され、縦搬送ユニット１１１により感光体１０６に当接する位置まで搬送され、感光体１０６上に上述と同様に形成されたトナー像が裏面に転写されて、定着装置１００Ａでトナー像が定着されることにより両面コピーとなる。この両面コピーは排紙ユニット１１４により排紙トレイ１１３に排出される。また、転写紙を反転して排出する場合には、反転ユニット１１２によりスイッチバックされて表裏が反転された転写紙は、両面搬送ユニットに搬送されずに反転排紙搬送路を経て排紙ユニット１１４により排紙トレイ１１３に排出される。
【００２７】
プリントモードでは、上記画像処理装置からの画像データの代りに、外部からの画像データが書き込みユニット１０５に入力されて、上述と同様に転写紙上に画像が形成される。さらに、ファクシミリモードでは、画像読取装置１０４からの画像データが、図示を省略したファクシミリ送受信部により相手に送信され、相手からの画像データがファクシミリ送受信部で受信されて上述の画像処理装置からの画像データの代りに書き込みユニット１０５に入力されることにより、上述と同様に転写紙上に画像が形成される。
【００２８】
また、この複合機１００には、図示を省略した大量用紙供給装置（以下「ＬＣＴ」という）と、同じく図示を省略したソート、穴あけ、ステイプルを含む処理を行う後処理装置と、原稿の画像の読み取りのためのモード、複写倍率の設定、給紙段の設定、後処理装置で後処理の設定、オペレータに対する表示を行う各種キーやＬＣＤを含むディスプレイを有する操作部とを備えている。
【００２９】
画像読取装置１０４は、原稿を載置するコンタクトガラス１０３と光学走査系で構成されており、光学走査系は露光ランプ、第１ミラー、レンズ、ＣＣＤイメージセンサを含む各部で構成されている。露光ランプおよび第１ミラーは、図示を省略した第１キャリッジ上に固定され、第２ミラーおよび第３ミラーは、同じく図示を省略した第２キャリッジ上に固定されている。原稿の画像を読み取るときには、光路長が変わらないように、第１キャリッジと第２キャリッジとが２対１の相対速度で機械的に走査される。上記光学走査系は、図示を省略したスキャナ駆動モータを含む駆動部によって駆動される。
【００３０】
画像読取装置１０４は、原稿の画像を光学的に読み取って電気信号に変換する（原稿の画像データを読み取る）。すなわち、光学走査系の露光ランプによって原稿の画像面を照明し、その画像面からの反射光像を第１ミラー、第２ミラー、第３ミラー、レンズを介してＣＣＤイメージセンサの受光面に結像させ、そのＣＣＤイメージセンサによって電気信号に変換する。このとき、レンズおよびＣＣＤイメージセンサを、図１の左右方向に移動させることにより、原稿の給送方向の画像読み取り倍率が変わる。つまり、予め設定された画像読み取り倍率に対応してレンズおよびＣＣＤイメージセンサの左右方向の位置が設定される。
【００３１】
書き込みユニット１０５は、レーザ出力ユニット、結像レンズ、ミラーを含む各部で構成され、レーザ出力ユニットの内部にはレーザ光源であるレーザダイオードおよびモータによって高速で定速回転するポリゴンミラー（回転多面鏡）が備わっている。レーザ出力ユニットより照射されるレーザビーム（レーザ光）は、定速回転するポリゴンミラーで偏向され、結像レンズを通り、ミラーで折り返され、感光体１０６の帯電面に集光されて結像される。
【００３２】
すなわち、ポリゴンミラーで偏向されたレーザビームは感光体１０６が回転する方向と直交する方向（主走査方向）に露光走査され、画像処理装置より出力される画像データのライン単位の書き込みを行う。感光体１０６の回転速度と走査密度（記録密度）に対応する所定の周期で主走査を繰り返すことにより、感光体１０６の帯電面に静電潜像が形成される。
【００３３】
次に、図１に示す定着装置１００Ａの構成について説明する。図２は、図１に示す定着装置１００Ａの構成例を示す説明図である。
【００３４】
同図に示すように、定着装置１００Ａは、通常のハロゲンヒータ方式等と同様に転写紙の搬送経路に対して、トナーの転写された転写紙上のトナーを加熱溶解して転写紙上に定着させるための定着ローラ１２１と、この定着ローラ１２１に対向配置されて転写紙に圧力をかけてトナーを定着させるための加圧ローラ１２３とが設けられている。
【００３５】
また、定着ローラ１２１から離間した位置には加熱ローラ１２２が設けられ、これらの加熱ローラ１２２と定着ローラ１２１との間には定着ベルト１２４が掛け渡されている。この定着ベルト１２４は、励磁コイル（以下、適宜加熱コイルともいう）１２５によって誘導加熱される定着用被加熱部材であり、加熱金属部（金属導電体）、非熱伝導部当を含む数層構造からなる。
【００３６】
加熱コイル１２５は、定着ベルト１２４を渦電流で誘導加熱するためもので、第１の実施の形態では、外部加熱方式とされ、加熱ローラ１２２部分にてその外周面を半周程度覆う形状の基体において渦巻状にコイルが巻回された構造とされている。このような加熱コイル１２５はインバータ回路により任意の周波数特性を持った電流が通電され、その電流により発生した磁束を受けて加熱ローラ１２２には渦電流が流れ加熱される。この加熱ローラ１２２の熱が回転移動する定着ベルト１２４に伝達され、その熱と定着ローラ１２１、加圧ローラ１２３のニップ圧力により定着ローラ１２１と加圧ローラ１２３との間を回転方向に進む転写紙上のトナーは転写紙に定着される。
【００３７】
また、定着ベルト１２４の温度は常に近接したサーミスタ（温度センサ）１２６により監視され、制御温度に対して低ければ加熱コイル１２５への電流供給は継続され、高ければ供給を停止する。温度制御は後述するエンジン制御基板で行なわれるが、制御不能で過昇温度になった場合はサーモスタット１２７により直接電源を遮断する安全装置も実装されている。
【００３８】
なお、定着ローラ１２１は定着モータ（図示せず）などの動力源により回転駆動され、定着ベルト１２４はその動力により移動回転する。加熱ローラ１２２は定着ベルト１２４の移動により懸架駆動し回転する従動ローラである。
【００３９】
また、加熱ローラ１２２の軸上には、定着ベルト１２４が回転していることを検知するためのセンサとして機能するエンコーダ１２８が設けられており、定着ローラ１２１を回転させているにも関わらず加熱ローラ１２２が回転しない場合には、ベルト切れ、または、ベルト滑りと判断し、インバータ回路の動作を遮断させることで加熱コイル１２５でのベルト異常温度上昇による焼損を防止し得る構成とされている。
【００４０】
もっとも、誘導加熱方式の定着装置１００Ａとしては、図示したような外部加熱方式に限らず、例えば定着ローラ１２１内に励磁コイルが内蔵されているタイプの内部加熱方式等のものであってもよい。
【００４１】
図３は、第１の実施の形態にかかる定着装置１００Ａと定着装置１００Ａを制御するエンジン制御基板３００の機能ブロック図である。
【００４２】
同図に示すように、第１の実施の形態の定着装置１００Ａは、加熱コイル１２５に加え、加熱コイル１２５に発生する磁界対して、この磁界を打ち消す方向に磁界を発生させる消磁コイル１２９を備えている。また、定着装置１００Ａは、加熱コイル１２５の電源および通電のＯＮ／ＯＦＦを切り替えるスイッチ１３１と、消磁コイル１２９の電源および通電のＯＮ／ＯＦＦを切り替えるスイッチ１３２と、を備えている。スイッチ１３１および１３２は、エンジン制御基板３００のＣＰＵ３０３によってＯＮ／ＯＦＦを切り替えることができる。
【００４３】
定着装置１００Ａは、さらに、消磁コイル１２９に流れる電流を検知する電流検知回路１３３を備えている。電流検知回路１３３の信号は、エンジン制御基板３００のＡＮＤ回路３０１に入力される。ＡＮＤ回路３０１は、さらに、消磁コイル１２９、加熱コイル１２５それぞれのＯＮ／ＯＦＦ切り替え信号も入力される。
【００４４】
すなわち、ＡＮＤ回路３０１は、消磁コイル１２９に電源を供給するためのリレーのＯＮ／ＯＦＦ信号と、メインのコイルである加熱コイル１２５に電源を供給するためのＩＨ電源イネーブル信号と、サブのコイルである消磁コイル１２９に電源を供給するリレーに流れる電流を検知する電流検出信号とをそれぞれ入力する。
【００４５】
また、加熱コイル１２５の近傍には温度センサ１２６が備えられており、温度センサ１２６からの情報を、コンパレータ３０２を介して異常検知信号に入力している。
【００４６】
次に、このように構成された第１の実施の形態にかかる複合機１００による定着装置１００Ａの加熱制御処理について説明する。
【００４７】
第１の実施の形態の複合機１００は、３つの信号（消磁コイル１２９のリレーのＯＮ／ＯＦＦ信号、ＩＨ電源イネーブル信号、電流検出信号）を入力した図３に示すＡＮＤ回路３０１により、加熱コイル１２５の異常の有無を判断する。そして、異常がある場合は、ＣＰＵ３０３が、加熱コイル１２５のリレーを強制的にＯＦＦにする信号を出力し、温度の不正な上昇を回避する。
【００４８】
図４は、ＡＮＤ回路３０１の判断結果の一例を示す図である。同図は、電流検知回路１３３の正常動作時および異常動作時それぞれのＡＮＤ回路３０１の判断結果を示している。
【００４９】
同図に示すように、正常時には、ＩＨ電源イネーブル信号は基本的に常にＨ（Ｈｉｇｈ）レベルとなっている。温度を下げる時は消磁コイル１２９のリレーをＯＮ（Ｈレベル）とし、この場合は電流検知信号はＬ（Ｌｏｗ）レベルとなる。また、温度を上げたままのほうが良い時は、消磁コイル１２９のリレーがＯＦＦ（Ｌレベル）となり、この場合は電流検知信号はＨレベルとなる。そのため、正常動作時には、動作異常判断回路（ＡＮＤ回路３０１）は常にＬレベルを出力し続けることとなる。
【００５０】
従来の方法のように消磁コイル１２９の電流を検知するだけでは、電流検知回路１３３にコネクタ抜けなどの何らかの異常が発生した場合、異常を検出することができなかった。これに対し、第１の実施の形態の方法によれば、消磁コイル１２９のリレーがＯＮ、かつ、ＩＨ電源イネーブル信号がＯＮのときに、電流検知信号も（プルアップによって）Ｈの信号を出力した場合は、動作異常判断回路からの出力信号もＨとなる。このため、ＣＰＵ３０３は、異常が発生したことを検出することができ、即座に加熱コイル１２５への電源供給を停止することが可能になる。これにより、温度が異常に上昇することを防ぐことが可能になり、ＩＨ定着システムの安全性をより向上させることができる。
【００５１】
また、図３に示すように、温度センサ１２６からコンパレータ３０２を介して出力される高温検知信号も、ＡＮＤ回路３０１からの出力信号と同一の異常検知信号として、ＣＰＵ３０３の異常検知回路へ出力することができるため、高温異常および消磁コイル１２９のリレー異常の両方を同時に検出することができる。これにより、安価でかつより安全な定着装置を提供することが可能になる。
【００５２】
このように、第１の実施の形態にかかる画像形成装置では、加熱コイルのＯＮ／ＯＦＦ制御信号と減熱コイルのＯＮ／ＯＦＦ制御信号の他に、減熱コイルの電流検知信号をＡＮＤ回路に入力することによって、電流検知信号または電流検出回路そのものの異常を発見することができる。これにより、消磁コイルに電流を流して減熱制御を実行しているが、実際には電流が流れていない場合の異常状態を検知し、定着システムが加熱し続けられることを防止することができる。
【００５３】
（第２の実施の形態）
第２の実施の形態にかかる画像形成装置は、ＡＮＤ回路からの異常検知信号と、温度センサからの高温検知信号とを、ＣＰＵ内でそれぞれ別の検知回路に入力し、異常の原因を判別可能とする。
【００５４】
図５は、第２の実施の形態にかかる定着装置１００Ａとエンジン制御基板５００の機能ブロック図である。同図に示すように、第２の実施の形態では、エンジン制御基板５００の機能が第１の実施の形態と異なっている。
【００５５】
すなわち、第２の実施の形態のエンジン制御基板５００は、温度センサ１２６の検知信号をコンパレータ３０２に入力して得られる高温検知信号と、電流検知回路１３３の異常を検知する異常検知信号を、ＣＰＵ５０３の別々のポートに入力する。これにより、ＣＰＵ５０３は、温度センサ１２６および電流検知回路１３３のいずれが異常を起こしたのかを判断できるようになる。
【００５６】
（第３の実施の形態）
第３の実施の形態にかかる画像形成装置は、加熱コイルのリレーを強制的にＯＦＦする機能を備えた定着コントローラを用いて、異常を検知したときに迅速に加熱を停止する。
【００５７】
図６は、第３の実施の形態にかかる定着装置１００Ａとエンジン制御基板６００の機能ブロック図である。同図に示すように、第２の実施の形態では、エンジン制御基板６００の機能が第１の実施の形態と異なっている。
【００５８】
エンジン制御基板６００は、加熱コイル１２５のリレーを強制的にＯＦＦする機能を備えたハードウェア回路である定着コントローラ６０４を備えている。これにより、異常が発生した場合は、ＣＰＵ６０３で実行されるソフトウェアを介さずにハードウェアのみでリレーを即座にＯＦＦすることが可能となる。また、同図に示すように、電流検知信号と高温検知信号とをそれぞれＣＰＵ６０３の汎用ポートに入力するため、ＣＰＵ６０３は異常が発生した原因を特定することができる。
【００５９】
なお、定着コントローラ６０４が、複数回連続して異常検知信号を検知した場合にリレーの強制ＯＦＦ信号を出力するように構成してもよい。これにより、ノイズなどによる誤動作で電源供給を停止させることを防ぐことができる。
【００６０】
定着高温検知回路６０２は、温度センサからの情報により定着装置１００Ａが高温状態であることを検知する回路であり、第１および第２の実施の形態と同様にコンパレータによって構成してもよい。
【００６１】
定着高温検知回路６０２からの出力は、ＡＮＤ回路３０１からの異常検知信号と同様に定着コントローラ６０４に入力される。これにより、温度の異常が発生したときに加熱コイル１２５の加熱を強制的にＯＦＦすることができる。
【図面の簡単な説明】
【００６２】
【図１】第１の実施の形態にかかる複合機の機構部の一例を示す概略構成図である。
【図２】定着装置の構成例を示す説明図である。
【図３】第１の実施の形態にかかる定着装置とエンジン制御基板の機能ブロック図である。
【図４】ＡＮＤ回路の判断結果の一例を示す図である。
【図５】第２の実施の形態にかかる定着装置とエンジン制御基板の機能ブロック図である。
【図６】第３の実施の形態にかかる定着装置とエンジン制御基板の機能ブロック図である。
【符号の説明】
【００６３】
１００  複合機
１００Ａ  定着装置
１０１  自動紙送り装置
１０２  原稿トレイ
１０３  コンタクトガラス
１０４  画像読取装置
１０５  書き込みユニット
１０６  感光体
１０７  現像装置
１０８ａ  第１給紙トレイ
１０８ｂ  第２給紙トレイ
１０８ｃ  第３給紙トレイ
１０９ａ  第１給紙装置
１０９ｂ  第２給紙装置
１０９ｃ  第３給紙装置
１１１  縦搬送ユニット
１１２  反転ユニット
１１３  排紙トレイ
１１４  排紙ユニット
１２１  定着ローラ
１２２  加熱ローラ
１２３  加圧ローラ
１２４  定着ベルト
１２５  加熱コイル
１２６  温度センサ
１２７  サーモスタット
１２８  エンコーダ
１２９  消磁コイル
１３１、１３２  スイッチ
１３３  電流検知回路
３００、５００、６００  エンジン制御基板
３０１  ＡＮＤ回路
３０２  コンパレータ
３０３、５０３、６０３  ＣＰＵ
６０２  定着高温検知回路
６０４  定着コントローラ
【図１】
2009271304.tif 000003
【図２】
2009271304.tif 000004
【図３】
2009271304.tif 000005
【図４】
2009271304.tif 000006
【図５】
2009271304.tif 000007
【図６】
2009271304.tif 000008